(57)【要約】【課題】複数のバッテリシステムで構成されるシステム全体の電力消費量および電力供給時間を制御して節電するシステムを提供すること。【解決手段】電力管理システム１００とバッテリシステム３００がローカルエリアネットワーク２００で接続され、電力管理システムがバッテリシステムから通知される消費電力データを一元管理して、システム全体の電力消費量を一定に保つようにバッテリシステムへ電力供給指示を行うとともに、電力使用料が安い時間帯にバッテリシステムへの電力供給指示を行う。【選択図】  図１
2004297954.tif 000002
【特許請求の範囲】
【請求項１】
接続された機器に電力を供給する複数のバッテリシステムと、前記複数のバッテリシステムとネットワークで接続され前記バッテリシステムに充電指示を与える電力管理システムとを備えるバッテリ管理システムであって、
前記電力管理システムは、前記複数のバッテリシステムの各々から現在の消費電力、蓄電量、バッテリ充電時の消費電力に関するデータを収集する消費電力データ収集処理部と、前記消費電力データ収集処理部で収集したデータから計算した電力供給可能時間が短い順にバッテリシステムを抽出し、抽出したバッテリシステムが電力使用料が安い時間帯まで電力供給可能かどうか判定し、供給できない場合に充電指示を出す電力供給指示処理部とを有することを特徴とするバッテリ管理システム。
【請求項２】
請求項１記載のバッテリ管理システムにおいて、前記電力管理システムの電力供給指示処理部は、充電時の消費電力の合計が決められた最大消費電力を超えないことを条件として充電指示を出すことを特徴とするバッテリ管理システム。
【発明の詳細な説明】
【０００１】
【発明の属する技術分野】
本発明は、複数のバッテリシステムの消費電力データを一元管理し、電力供給指示を制御することでシステム全体の消費電力を節約するシステムに関する。
【０００２】
【従来の技術】
従来、消費電力の節電方法に関する技術として、例えば、特開２０００−６９１０７号公報に記載のものが知られている。特開２０００−６９１０７号公報に記載のものは、バッテリシステムの蓄電量があらかじめ指定された残量を下回った場合に処理能力を落として電力消費量を抑止するようにしたものである。
【特許文献１】
特開２０００−６９１０７号公報
【０００３】
【発明が解決しようとする課題】
しかしながら、特開２０００−６９１０７号公報に記載の技術は、バッテリシステムの蓄電量の減少を抑止することができるものの、それぞれのバッテリシステムで節電制御を行っているため、複数のバッテリシステムで構成されるシステム全体の消費電力を制御することができず、また、バッテリシステムへの電力供給は制御されていないという問題がある。
本発明の目的は、複数のバッテリシステムで構成されるシステム全体の電力消費量および電力供給時間を制御して節電するシステムを提供することにある。
【０００４】
【課題を解決するための手段】
上記目的を達成するために、本発明は、電力管理システムとバッテリシステムがローカルエリアネットワークで接続され、電力管理システムがバッテリシステムから通知される消費電力データを一元管理して、バッテリシステムに電力供給指示を行う。バッテリシステムへの電力供給指示は、システム全体の電力消費量が一定限度を超えないように行われる。また、電力供給指示は、極力、深夜電力時間帯等電力使用料が安い時間帯に行うようにする。
【０００５】
具体的には、本発明によるバッテリ管理システムは、接続された機器に電力を供給する複数のバッテリシステムと、複数のバッテリシステムとネットワークで接続されバッテリシステムに充電指示を与える電力管理システムとを備えるバッテリ管理システムであり、電力管理システムは、複数のバッテリシステムの各々から現在の消費電力、蓄電量、バッテリ充電時の消費電力に関するデータを収集する消費電力データ収集処理部と、消費電力データ収集処理部で収集したデータから計算した電力供給可能時間が短い順にバッテリシステムを抽出し、抽出したバッテリシステムが深夜料金時間帯などの電力使用料が安い時間帯まで電力供給可能かどうか判定し、供給できない場合に充電指示を出す電力供給指示処理部とを有することを特徴とする。また、電力管理システムの電力供給指示処理部は、充電時の消費電力の合計が決められた最大消費電力を超えないことを条件として充電指示を出すのが好ましい。
【０００６】
【発明の実施の形態】
以下、本発明を実施する場合の一形態を図面を参照して具体的に説明する。
図１は、本発明によるバッテリ管理システムの構成例を示すブロック図である。このバッテリ管理システムは、バッテリシステム３００を一元管理する電力管理システム１００、電気機器４００に電力を供給するバッテリシステム３００、電力管理システム１００とバッテリシステム３００を接続するローカルエリアネットワーク２００からなっている。電力管理システム１００は、大きな機能部として消費電力データ収集処理部１１０と電力供給指示処理部１２０を有する。なお、図では限られた数のバッテリシステム３００と機器４００しか表示されていないが、実際には多数のバッテリシステム３００と機器４００を接続することができる。電力管理システム１００は、データベース１３０を有している。
【０００７】
図２に示すように、データベース１３０には、電力管理データ１４０と消費電力データ１５０が登録され、電力管理データ１４０は、バッテリ管理システムの最大消費電力１４１、深夜電力時間帯１４２、消費電力データ収集インターバル１４３で構成され、消費電力データ１５０は、バッテリシステム３００に接続された機器４００の消費電力１５１、バッテリシステム３００の蓄電量１５２、蓄電時の消費電力１５３、電力供給可能時間１５４、電力供給指示通知先アドレス１５５で構成される。
【０００８】
図３は、本発明の中心となる電力管理システム、バッテリシステムの構成を示すブロック図である。電力管理システム１００は、中央演算装置１０１、ネットワークにてデータを送受信する手段１０２、データベースにアクセスする手段１０３、データをメモリに入出力する手段１０４、プログラムメモリ１０５、データメモリ１０６で構成され、消費電力データ収集処理部１１０としての処理、及び電力供給指示処理部１２０としての処理を行う。
【０００９】
バッテリシステム３００は、中央演算装置３０１、ネットワークにてデータを送受信する手段３０２、データをメモリに入出力する手段３０３、データメモリ３０４、バッテリの蓄電量および消費電力を管理する手段３０５、バッテリ３０６、電力供給機器の消費電力を管理する手段３０７、電力供給機器３０８、電源の供給先を切り替える手段３０９、電源３１０で構成され、電力を消費する機器４００が接続され、電力管理システム１００の要求に応じて接続された機器４００の消費電力１５１、バッテリシステム３００の蓄電量１５２、蓄電時の消費電力１５３を通知し、電力管理システム１００の電力供給指示により蓄電を開始および停止する。
【００１０】
このバッテリ管理システムは、電力管理システム１００の消費電力データ収集処理部１１０によりローカルエリアネットワーク２００で接続されているバッテリシステム３００の消費電力データ１５０を収集し、収集したデータをデータベース１３０に登録する。そして、電力管理システム１００の電力供給指示処理部１２０によりシステム全体の消費電力量と電力供給時間帯を制御することで節電を行う。
【００１１】
次に、電力管理システム１００の消費電力データ収集処理部１１０が行う処理について説明する。図４は、消費電力データ収集処理部１１０による処理手順を示すフローチャートである。
【００１２】
まず、データベース１３０から電力管理データ１４０を読み込む（１１１）。次に、バッテリシステム３００に対して接続された機器４００の消費電力１５１、バッテリシステム３００の蓄電量１５２、蓄電時の消費電力１５３の通知をローカルエリアネットワーク２００を介して要求し（１１２）、バッテリシステム３００からの応答を待つ（１１３）。バッテリシステム３００から応答が通知されると、機器４００の消費電力１５１、バッテリシステム３００の蓄電量１５２および電力供給可能時間計算式から電力供給可能時間１５４を算出し、電力供給指示通知先アドレス１５５とともにデータベース１３０に登録する（１１４）。バッテリの電力供給可能時間Φ（ｈ）は、バッテリの蓄電量をα（Ａｈ）、バッテリの供給電圧をβ（Ｖ）、接続機器の消費電力をγ（ＡＶ）とするとき、次式から計算される。
Φ＝α・β／γ
【００１３】
複数のバッテリシステム３００が接続されている場合には、バッテリシステム３００からの応答待ち（１１３）と消費電力データ１５０のデータベース１３０への登録（１１４）が繰り返し行われる。消費電力データ１５０のデータベース１３０への登録（１１４）が完了すると、電力供給指示処理部１２０の処理を呼び出し（１１５）、次の消費電力データ収集インターバル１４３まで処理を待ち合わせる（１１６）。
【００１４】
次に、電力供給指示処理１２０部による処理について説明する。図５は、電力供給指示処理部１２０による処理手順を示すフローチャートである。
まず、データベース１３０から電力管理データ１４０を読み込む（１２１）。次に、消費電力データ収集処理部１１０によって登録された消費電力データ１５０から電力供給可能時間１５４が短い順にバッテリシステム３００を抽出する（１２２）。そして、バッテリシステム３００が深夜電力時間帯１４２まで電力の供給が可能か電力供給時間１５４を確認する（１２３）。深夜電力時間帯１４２まで電力が供給できない場合は、バッテリシステム３００の蓄電時の消費電力１５３が最大消費電力１４１を超えないことを確認して（１２４）、バッテリシステム３００に対して電力供給開始指示をローカルエリアネットワーク２００を介し通知する（１２５）。
【００１５】
また、バッテリシステム３００が深夜電力時間帯１４２まで電力の供給が可能な場合、もしくはバッテリシステム３００の蓄電時の消費電力１５３が最大消費電力１４１を超えている場合には、バッテリシステム３００に対して電力供給停止指示をローカルエリアネットワーク２００を介し通知する（１２６）。なお、電力供給開始指示の通知（１２５）と電力供給停止指示の通知（１２６）は、全てのバッテリシステム３００に対して繰り返し行われる（１２７）。
【００１６】
【発明の効果】
本発明によれば、システム全体の消費電力を制御することができる。更に、電力管理システムのバッテリシステムへの電力供給指示を電力使用料の安い深夜電力時間帯を行うができる。また、電力管理システムによるバッテリシステムの制御をローカルエリアネットワークで行うようにしたため、バッテリシステムの増減などによるシステムの構成変更にも柔軟に対応することができる。また、電力管理システムが消費電力データを一元管理しているため、システム全体の電力消費量が簡単に把握することができる。また、従来の節電方法と組合わせることで節電効率を上げることができる。
【図面の簡単な説明】
【図１】本発明のバッテリ管理システムの概略構成を示すブロック図。
【図２】データベースの内容を示す図。
【図３】電力管理システム、バッテリシステムの構成を示すブロック図。
【図４】電力管理システムの消費電力データ収集処理のフローチャートを示す図。
【図５】電力管理システムの電力供給指示処理のフローチャートを示す図。
【符号の説明】
１００…電力管理システム
１１０…消費電力データ収集処理部
１２０…電力供給指示処理部
１３０…データベース
１４０…電力管理データ
１５０…消費電力データ
２００…ローカルエリアネットワーク
３００…バッテリシステム
４００…機器
【図１】
2004297954.tif 000003
【図２】
2004297954.tif 000004
【図３】
2004297954.tif 000005
【図４】
2004297954.tif 000006
【図５】
2004297954.tif 000007